(57)【要約】【課題】監視対象の画像を画像ファイルとして外部記録媒体に記録する監視カメラにおいて、防犯を目的とした画像ファイルの解析等の作業を容易かつ迅速に行えるようにすること。【解決手段】本発明では、外部記録媒体（８）を接続するための入出力部（４）を有する監視カメラ（１）において、入出力部（４）に外部記録媒体（８）とともに端末装置（９）を接続可能とするとともに、入出力部（４）に外部記録媒体（８）と端末装置（９）とが接続されている場合には、端末装置（９）と外部記録媒体（８）とを直接接続して外部記録媒体（８）に記録した画像ファイル（１２）を端末装置（９）に転送できるように制御することにした。【選択図】図１
2011155421.tif 000002
【特許請求の範囲】
【請求項１】
外部記録媒体を接続するための入出力部を有する監視カメラにおいて、
入出力部に外部記録媒体とともに端末装置を接続可能とするとともに、入出力部に外部記録媒体と端末装置とが接続されている場合には、端末装置と外部記録媒体とを直接接続して外部記録媒体に記録した画像ファイルを端末装置に転送できるように制御することを特徴とする監視カメラ。
【請求項２】
前記画像ファイルが内部記録媒体に記録した所定時間分の画像データを複数個連結することによって外部記録媒体に形成されており、電源投入時に内部記録媒体に画像データが残存している場合には、残存する画像データを連結することによって外部記録媒体に画像ファイルを形成するように制御することを特徴とする請求項１に記載の監視カメラ。
【発明の詳細な説明】
【技術分野】
【０００１】
本発明は、監視カメラに関するものであり、特に、外部記録媒体を接続するための入出力部を有する監視カメラに関するものである。
【背景技術】
【０００２】
従来より、主に防犯や記録などを目的とした監視を行うために監視カメラが広く利用されている。
【０００３】
この監視カメラでは、撮像部で撮影した画像データを画像処理部で順次処理して画像ファイルを作成し、その画像ファイルを入出力部を介して外部記録媒体に記録するように構成している（たとえば、特許文献１参照。）。
【０００４】
そして、従来の監視カメラでは、撮影し記録した画像ファイルをパーソナルコンピュータ等の端末装置に転送して解析等を行う場合、監視カメラから外部記録媒体を取外し、その外部記録媒体を端末装置と接続し、その後、端末装置を用いて外部記録媒体に記録した画像ファイルにアクセスする必要があった。
【先行技術文献】
【特許文献】
【０００５】
【特許文献１】特開２００４−２２２１１２号公報
【発明の概要】
【発明が解決しようとする課題】
【０００６】
ところが、上記従来の監視カメラでは、外部記録媒体に記録した画像ファイルをパーソナルコンピュータ等の端末装置で解析することで防犯に役立てるためには、監視カメラから外部記録媒体を取外し、その後、外部記録媒体を端末装置に接続するといった煩雑な操作が必要であった。
【０００７】
しかも、上記従来の監視カメラでは、撮影した画像データを順次処理して画像ファイルを作成して外部記録媒体に記録するようにしているために、悪意によって電源が切断されてしまうと、電源切断直前での画像データが画像ファイルとして外部記録媒体に記録されておらず、その結果、防犯に役立たないおそれがあった。
【課題を解決するための手段】
【０００８】
そこで、請求項１に係る本発明では、外部記録媒体を接続するための入出力部を有する監視カメラにおいて、入出力部に外部記録媒体とともに端末装置を接続可能とするとともに、入出力部に外部記録媒体と端末装置とが接続されている場合には、端末装置と外部記録媒体とを直接接続して外部記録媒体に記録した画像ファイルを端末装置に転送できるように制御することにした。
【０００９】
また、請求項２に係る本発明では、前記請求項１に係る本発明において、前記画像ファイルが内部記録媒体に記録した所定時間分の画像データを複数個連結することによって外部記録媒体に形成されており、電源投入時に内部記録媒体に画像データが残存している場合には、残存する画像データを連結することによって外部記録媒体に画像ファイルを形成するように制御することにした。
【発明の効果】
【００１０】
そして、本発明では、以下に記載する効果を奏する。
【００１１】
すなわち、本発明では、外部記録媒体を接続するための入出力部を有する監視カメラにおいて、入出力部に外部記録媒体とともに端末装置を接続可能とするとともに、入出力部に外部記録媒体と端末装置とが接続されている場合には、端末装置と外部記録媒体とを直接接続して外部記録媒体に記録した画像ファイルを端末装置に転送できるように制御することにしているために、外部記録媒体を監視カメラから端末装置に接続しなおさなくても、監視カメラに外部記録媒体と端末装置とを接続するだけで端末装置に外部記録媒体を接続した状態とすることができ、防犯を目的とした画像ファイルの解析等の作業を容易かつ迅速に行うことができる。
【００１２】
また、本発明では、画像ファイルが内部記録媒体に記録した所定時間分の画像データを複数個連結することによって外部記録媒体に形成されており、電源投入時に内部記録媒体に画像データが残存している場合には、残存する画像データを連結することによって外部記録媒体に画像ファイルを形成するように制御することにしているために、悪意によって電源が切断されてしまっても、電源切断直前の画像データを画像ファイルとして外部記録媒体に記録することができ、これにより、防犯を目的とした画像ファイルの解析等を実効性あるものとすることができる。
【図面の簡単な説明】
【００１３】
【図１】本発明に係る監視カメラを示す説明図。
【図２】同動作説明図。
【発明を実施するための形態】
【００１４】
以下に、本発明に係る監視カメラの具体的な構成について図面を参照しながら説明する。
【００１５】
図１に示すように、監視カメラ１は、画像を撮影するための撮像部２と、撮像した画像を処理するための画像処理部３と、内外部の機器との間で各種データの送受信を行うための入出力部４と、各種データを記録しておくための不揮発性型の内部記録媒体５と、これらの撮像部２・画像処理部３・入出力部４・内部記録媒体５を制御するための制御部６と、これらの撮像部２・画像処理部３・入出力部４・内部記録媒体５・制御部６に電力を供給するための電源部７とで構成している。
【００１６】
この監視カメラ１は、入出力部４に内部記録媒体５とは別個の外部記録媒体８を接続することができるようになっている。
【００１７】
また、監視カメラ１では、入出力部４に外部記録媒体８とともに外部のパーソナルコンピュータ等の端末装置９をも接続することができるようになっている。ここで、端末装置９とは、外部記録媒体８を接続することができ、外部記録媒体８に記録した各種データにアクセスすることができる機器をいう。
【００１８】
そして、監視カメラ１は、電源投入によって電源部７から撮像部２・画像処理部３・入出力部４・内部記録媒体５・制御部６に電力が供給されると、制御部６が撮像部２・画像処理部３・入出力部４・内部記録媒体５を適宜制御し、図２に模式的に示すようにして監視対象の画像を撮影し記録していく。
【００１９】
まず、制御部６は、撮像部２で監視対象の画像を予め設定した所定時間連続して撮影し、撮影した画素データ10を順次画像処理部３へと転送する。
【００２０】
次に、制御部６は、撮像部２で撮影し順次転送される複数の画素データ10を画像処理部３で順次処理して所定時間分（たとえば、１０秒間分）の画像データ11を作成する。
【００２１】
次に、制御部６は、画像処理部３で作成した画像データ11を入出力部４を介して内部記録媒体５に順次記録する。
【００２２】
次に、制御部６は、内部記録媒体５に記録された画像データ11が予め設定した個数（たとえば、６個（１分間分））になった場合に、それら複数個の画像データ11を時系列に所定のフォーマットで連結して画像ファイル12を作成する。
【００２３】
次に、制御部６は、画像ファイル12を入出力部４を介して外部記録媒体８に転送し、外部記録媒体８に画像ファイル12を記録する。なお、制御部６は、入出力部４に外部記録媒体８が接続されているか否かを検出し、入出力部４に外部記録媒体８が接続されている場合には画像ファイル12を外部記録媒体８に記録し、一方、入出力部４に外部記録媒体８が接続されていない場合には画像ファイル12を内部記録媒体５に記録する。
【００２４】
制御部６は、上記処理を繰返し実行し、監視対象の画像を画像ファイル12として記録していき、最後に、電源部７で電源が切断されたことを検出すると、撮像部２から画像処理部３に転送された画素データ10で最後の画像データ11を作成するとともに、その最後の画像データ11と内部記録媒体５に転送された画像データ11とで最後の画像ファイル12を作成し、その最後の画像ファイル12を外部記録媒体８に転送して記録する。
【００２５】
上記監視カメラ１では、制御部６が入出力部４に外部記録媒体８と端末装置９とが両方とも接続されているか否かを検出し、入出力部４に外部記録媒体８と端末装置９とが両方とも接続されている場合には、端末装置９と外部記録媒体８とが互いにデータの転送（送受信）ができるように端末装置９と外部記録媒体８とを入出力部４を介して直接接続した状態とし、端末装置９からの信号によって外部記録媒体８に記録した画像ファイル12を端末装置９に監視カメラ１の入出力部４だけを介して直接的に転送できるように制御している。
【００２６】
このように、上記監視カメラ１では、外部記録媒体８を接続するための入出力部４を有し、入出力部４に外部記録媒体８とともに端末装置９が接続可能となっており、入出力部４に外部記録媒体８と端末装置９とが接続されている場合には、端末装置９と外部記録媒体８とを直接接続して外部記録媒体８に記録した画像ファイル12を端末装置９に転送できるように制御することにしている。
【００２７】
そのため、上記監視カメラ１では、外部記録媒体８を監視カメラ１から端末装置９に接続しなおさなくても、監視カメラ１に外部記録媒体８と端末装置９とを接続するだけで端末装置９に外部記録媒体８を接続した状態とすることができ、防犯を目的とした画像ファイル12の解析等の作業を容易かつ迅速に行うことができる。
【００２８】
また、上記監視カメラ１では、制御部６が電源部７で電源が投入されたことを検出すると、不揮発性型の内部記録媒体５に画像データ11が残存しているか否かを検出し、内部記録媒体５に画像データ11が残存している場合には、内部記録媒体５に残存している画像データ11から画像ファイル12を作成し、その画像ファイル12を外部記録媒体８に転送して記録するように制御している。
【００２９】
このように、上記監視カメラ１では、画像ファイル12が内部記録媒体５に記録した所定時間分の画像データ11を複数個連結することによって外部記録媒体８に形成されるようになっており、電源投入時に内部記録媒体５に画像データ11が残存している場合には、残存する画像データ11を連結することによって外部記録媒体８に画像ファイル12を形成するように制御することにしている。
【００３０】
そのため、上記監視カメラ１では、悪意によって電源が切断されてしまっても、電源切断直前の画像データ11を画像ファイル12として外部記録媒体８に記録することができ、防犯を目的とした画像ファイル12の解析等を実効性あるものとすることができる。
【符号の説明】
【００３１】
１  監視カメラ
２  撮像部
３  画像処理部
４  入出力部
５  内部記録媒体
６  制御部
７  電源部
８  外部記録媒体
９  端末装置
10  画素データ
11  画像データ
12  画像ファイル
【図１】
2011155421.tif 000003
【図２】
2011155421.tif 000004